(57)【特許請求の範囲】
【請求項１】
屋内外を隔てる板状部材の開口に設置される換気扇であって、
前記板状部材の開口を通過する換気流を生成する換気流生成装置と、
複数の部品を接合して形成された屋外フードと、
前記板状部材の開口よりも大きい略額状であり、一方の面側に前記換気流生成装置が、他方の面側に前記屋外フードがそれぞれ固定される固定枠と、
屋内側から前記板状部材の開口に前記屋外フードが挿入された前記固定枠との間に前記板状部材を挟持可能に、前記固定枠の前記他方の面の上部及び下部にそれぞれ配設された取付金具と、
前記板状部材の開口に装着されて前記固定枠及び前記取付金具を覆うカバーと、
を備えることを特徴とする換気扇。
【請求項２】
前記カバーは、屋内側から前記板状部材の開口に装着されることを特徴とする請求項１に記載の換気扇。
【請求項３】
前記カバーは、前記板状部材と前記取付金具との間に挟持される上部引っかけ部を有することを特徴とする請求項１又は２に記載の換気扇。
【請求項４】
前記板状部材の開口よりも一回り大きい額状で前記固定枠の前記他方の面側に設けられたパッキンを有し、
前記カバーは、前記板状部材の開口の側方の縁の屋内側と前記パッキンとに挟まれる側面引っかけ部を有することを特徴とする請求項１から３のいずれか１項に記載の換気扇。
【請求項５】
前記カバーは、上部が前記板状部材の開口の上方の縁の屋外側に当接し、下部が前記板状部材の開口の下方の縁の屋内側に当接することを特徴とする請求項１から４のいずれか１項に記載の換気扇。
【発明の詳細な説明】
【技術分野】
【０００１】
本発明は、屋内外を隔てる板状部材の開口部分に設置される換気扇に関する。
【背景技術】
【０００２】
建造物に換気扇を後付けするにあたって、換気扇の取り付け用の穴を新たに壁に開けることが困難である場合には、板状部材の開口部分に取り付け可能な換気扇が用いられる（特許文献１参照）。例えば、開口を備えたアルミパネル等を窓ガラスの代わりにサッシへ設置するなどした上で、アルミパネルの開口部に換気扇が取り付けられる。
【０００３】
また、一般に屋内外の空気を換気する換気扇には、雨水の浸入を防止するために屋外側に屋外フードが装着される。
【先行技術文献】
【特許文献】
【０００４】
【特許文献１】特開２００８−６９９９５号公報
【発明の概要】
【発明が解決しようとする課題】
【０００５】
しかしながら、アルミパネルなどの板状部材の開口部に換気扇を取り付ける場合は、屋外と屋内とが薄い板で隔てられるため、屋外フードの上部に存在する小さな隙間からフード内に雨水が入り込むと、隙間から入り込んだ雨水は室内にまで浸入しやすい。
【０００６】
また、雨水の浸入防止のためパッキンなどによって止水するものでは、風雨や紫外線等によってパッキンが劣化し、長期にわたって信頼性を確保することが困難であった。
【０００７】
このため、板状部材の開口部分に設置する換気扇は、屋外フードの上部の隙間をコーキングする必要があり、設置作業の工数が増加してしまうという問題があった。
【０００８】
本発明は、上記に鑑みてなされたものであって、屋外フードの上部の隙間をコーキングすることなく雨水の室内への浸入を防止した換気扇を得ることを目的とする。
【課題を解決するための手段】
【０００９】
上述した課題を解決し、目的を達成するために、本発明は、屋内外を隔てる板状部材の開口に設置される換気扇であって、板状部材の開口を通過する換気流を生成する換気流生成装置と、複数の部品を接合して形成された屋外フードと、板状部材の開口よりも大きい略額状であり、一方の面側に換気流生成装置が、他方の面側に前記屋外フードがそれぞれ固定される固定枠と、屋内側から板状部材の開口に屋外フードが挿入された固定枠との間に板状部材を挟持可能に、固定枠の他方の面の上部及び下部にそれぞれ配設された取付金具と、板状部材の開口に装着されて固定枠及び取付金具を覆うカバーと、を備えることを特徴とする。
【発明の効果】
【００１０】
本発明によれば、屋外フードの上部の隙間をコーキングすることなくフード内への雨水の浸入を防止でき、雨水の浸入を防止するパッキンの劣化を抑制することもできるという効果を奏する。
【図面の簡単な説明】
【００１１】
【図１】図１は、本発明にかかる換気扇の実施の形態の構成を示す図である。
【図２】図２は、実施の形態に係る換気扇及びカバーの構成を示す斜視図である。
【図３】図３は、換気扇及びカバーの下部側面断面の拡大図である。
【図４】図４は、換気扇及びカバーの上部側面断面の拡大図である。
【図５】図５は、実施の形態に係る換気扇の屋外フードの構成を示す図である。
【図６】図６は、カバーをアルミパネルに取り付けた状態を示す斜視図である。
【図７】図７は、カバーの構成を示す図である。
【発明を実施するための形態】
【００１２】
以下に、本発明にかかる換気扇の実施の形態を図面に基づいて詳細に説明する。なお、この実施の形態によりこの発明が限定されるものではない。
【００１３】
実施の形態．
図１は、本発明にかかる換気扇の実施の形態の構成を示す図である。実施の形態にかかる換気扇５０は、窓サッシ３０に設置されたアルミパネル２０の開口部にカバー４０とともに装着される。
【００１４】
図２は、実施の形態に係る換気扇５０及びカバー４０の構成を示す斜視図である。図３は、換気扇５０及びカバー４０の下部側面断面の拡大図である。図４は、換気扇５０及びカバー４０の上部側面断面の拡大図である。換気扇５０は、換気扇本体７、屋外フード８、固定枠１０、固定金具９及び板取付金具１１、１２を有する。
【００１５】
まず、カバー４０を装着していない状態について説明する。換気扇本体７は、不図示のファンやモータなどを備えており、アルミパネル２０の開口部を通過する換気流を生成する。換気扇本体７は、固定枠１０と当接するフランジ７ａを備えている。
【００１６】
屋外フード８は、アルミパネル２０の開口部に設置されて換気扇本体７を屋外側から覆う部材であり、固定枠１０と当接する端部にフランジ８ａを備えている。図５は、屋外フード８の構成を示す図である。屋外フード８は、板金加工によって形成された複数の部品を接合して構成されており、フランジ８ａの隅の部分では２枚の板金部品が重なり合う構造であるため、屋外フード８の天面と側面とフランジ８ａとの境界部分には、図５に示すように隙間８ｂが存在している。
【００１７】
固定枠１０は、換気扇本体７と屋外フード８とを一体のユニットとするための部材であり、中央が開口した額状である。固定枠１０は、中央の開口を囲うように屋外側に設置されたパッキン１０ａを備えており、屋外フード８との隙間８ｂから雨水が浸入することは防止されている。パッキン１０ａは、アルミパネル２０の開口よりも一回り大きい外形形状となるように上下左右に計四つ設置されている。
【００１８】
固定金具９は、換気扇本体７と屋外フード８とを固定枠１０に一体に固定するための雌ネジを備えた部材であり、固定枠１０の開口部の上方及び下方においてフランジ８ａの屋外側に配置され、フランジ７ａ、８ａ及び固定枠１０とともにネジ止めされることによって換気扇本体７と屋外フード８とを固定枠１０に一体化する。
【００１９】
板取付金具１１、１２は、固定金具９によって固定枠１０に一体に固定された換気扇本体７及び屋外フード８をアルミパネル２０の開口に設置するための金具である。板取付金具１１は固定枠１０の上枠の屋外側に、板取付金具１２は固定枠１０の下枠の屋外側にそれぞれ設置される。板取付金具１１、１２は、板取付金具１１の上端側とパッキン１０ａとの間、及び板取付金具１２の下端側とパッキン１０ａとの間に、アルミパネル２０の開口縁部を挿入可能な幅の隙間が形成されるように、断面視略クランク状となっており、板取付金具１１は上端側が、板取付金具１２は下端側が屋外側に出っ張るように設置されている。
【００２０】
板取付金具１１は、左右の下端近傍が突出しており、全体としては正面視略逆凹形状となっている。板取付金具１１の左右の下端の突出部分は、屋外側に向かって庇状に突き出た庇状部１１ａとなっており、屋外フード８の天面と側面とフランジ８ａとの境界部分に存在する隙間８ｂの上方を覆っている。庇状部１１ａは、先端側が下がるように傾斜しており、この上に付着した雨水は庇状部１１ａの先端側（アルミパネル２０から離れた側）から滴下するようになっている。これにより、本実施の形態に係る換気扇は、屋外フード８の上部の隙間８ｂをコーキングすることなく雨水の室内への浸入を防止できる。
【００２１】
換気扇５０をアルミパネル２０の開口部に取り付ける際には、換気扇本体７、屋外フード８、固定枠１０、固定金具９及び板取付金具１１、１２を組み立てた後、屋外フード８側が下がるように換気扇５０を全体的に傾けた状態で板取付金具１１とパッキン１０ａとの隙間にアルミパネル２０の開口縁部を差し入れる。そして、板取付金具１１の段差部をアルミパネル２０の開口縁部に当接させたまま屋外フード８側を持ち上げて換気扇５０を略水平状態とする。その後、換気扇５０を持ち上げる力を解除することにより、板取付金具１２とパッキン１０ａとの隙間にアルミパネル２０の開口縁部が板取付金具１２と当接するまで挿入され、換気扇５０がアルミパネル２０の開口部分に設置される。
【００２２】
換気扇５０を取り外す際には、換気扇５０を持ち上げて板取付金具１２と固定枠１０のパッキン１０ａとの隙間からアルミパネル２０の開口縁部を抜き取った後に、屋外フード８側が下がるように全体的に傾けて、板取付金具１１とパッキン１０ａとの隙間からアルミパネル２０の開口縁部を抜き取れば良い。
【００２３】
このように、換気扇５０は、屋内側からの作業で取り付け、取り外しが可能であるため、作業用の足場を屋外側に設置することが困難な箇所（例えば、高層階の窓）にも容易に取り付け可能である。
【００２４】
次にカバー４０について説明する。図６は、カバー４０をアルミパネル２０に取り付けた状態を示す斜視図であり、アルミパネル２０を屋内側から見た状態を示している。図７は、カバー４０の構成を示す図である。カバー４０は、換気扇５０を貫通させる開口４０ｆを備えた開口面４０ｃと、上面４０ｄ及び左右の側面４０ｅによって形成された略箱形状である。
【００２５】
図４に示したように、カバー４０の上部引っかけ部４０ａは、換気扇５０の上部の板取付金具１１に引っかける構造であり、板取付金具１１の上部とアルミパネル２０との間に差し込まれることによってカバー４０の落下を防止する。
【００２６】
カバー４０の側面引っかけ部４０ｂは、換気扇５０の固定枠１０に付属するパッキン１０ａと、設置したアルミパネル２０の屋内側の面とに挟まれて固定される。
【００２７】
カバー４０の取り付けは、まずアルミパネル２０の開口部にカバー４０の上面４０ｄを室内側から室外側へ出し、次いで垂直に立てるようにして左右の側面４０ｅを室外側へ出す。この際、アルミパネル２０の開口部の両端にカバー４０の側面引っかけ部４０ｂが引っかかる。
【００２８】
また、図６に示すように、カバー４０の側面引っかけ部４０ｂはアルミパネル２０の開口部よりも下方に長くなっており、下部引っかけ部４０ｇを形成している。したがって、カバー４０は、上部がアルミパネル２０の開口の上方の縁の屋外側に当接し、下部がアルミパネル２０の開口の下方の縁の屋内側に当接する。これにより、側面引っかけ部４０ｂの一方がアルミパネル２０に引っかからなくてもカバー４０が即座に落下することを防止できる。なお、下部引っ掛け部４０ｇは、側面引っ掛け部４０ｂと一体でなくても良い。
【００２９】
カバー４０を取り付けたアルミパネル２０に対して、カバー４０を装着していない場合と同様の操作で換気扇５０を取り付ける。カバー４０を付けた状態での換気扇５０の取り付けは、換気扇５０全体を傾けた状態で、板取付金具１１が上部引っかけ部４０ａに引っかかるように板取付金具１１とパッキン１０ａとの隙間にアルミパネル２０の開口縁部を差し入れる。換言すると、板取付金具１１とパッキン１０ａとの隙間に、アルミパネル２０の開口縁部とともに上部引っかけ部４０ａを差し入れ、板取付金具１１とアルミパネル２０の開口縁部の屋外側とので上部引っかけ部４０ａを挟持する。この後の取付手順は、カバー４０が無い場合と同様である。
【００３０】
このように、本実施の形態にかかる換気扇５０及びカバー４０は、屋内側からの作業で取り付け・取り外しが可能であるため、作業用の足場を屋外に設置することが困難な箇所（例えば、高層階の窓）にも容易に取り付け可能である。
【００３１】
本実施の形態では、カバー４０が外部露出のパッキンの隙間を覆うことで、風雨や紫外線が直接パッキン１０ａに当たることがなく、雨水の浸入を防止するためのパッキン１０ａの劣化を抑制できる。さらには、室外側の板取付金具１１、１２、フランジ７ａ、８ａ、固定金具９などをカバー４０で覆うことで、室外側外観の意匠性を向上できるとともに、金具などによる凹凸がないため、汚れの付着や堆積を長期間にわたって防ぎ、外壁の汚れを防止できる。これにより、製品の長期使用が可能となる。
【００３２】
本発明にかかる換気扇は、屋外フードの上部の隙間をコーキングすることなく雨水の室内への浸入を防止するのに有用であり、特に、窓のサッシに設置したアルミパネルなどの板状部材の開口部に取り付けるのに適している。
【符号の説明】
【００３３】
７  換気扇本体
７ａ、８ａ  フランジ
８  屋外フード
８ｂ  隙間
９  固定金具
１０  固定枠
１０ａ  パッキン
１１、１２  板取付金具
１１ａ  庇状部
２０  アルミパネル
３０  窓サッシ
４０  カバー
４０ａ  上部引っかけ部
４０ｂ  側面引っかけ部
４０ｃ  開口面
４０ｄ  上面
４０ｅ  側面
４０ｆ  開口
４０ｇ  下部引っかけ部
５０  換気扇
【図１】
0005473980.tif 000002
【図２】
0005473980.tif 000003
【図３】
0005473980.tif 000004
【図４】
0005473980.tif 000005
【図５】
0005473980.tif 000006
【図６】
0005473980.tif 000007
【図７】
0005473980.tif 000008